(57)【要約】【目的】壁や窓のレイアウトを自由に決めることができる組立居室を提供すること、及び、短時間で手軽に組み立てることができ、その分解、再組立も可能な組立居室を提供すること。【解決手段】敷居２と、長柱３と、半柱４と、単位壁Ｅを用いて組立居室を組み立てる。長柱３どうしの距離、半柱４どうしの距離、又は、長柱３と半柱４との距離は所定の間隔とする。単位壁Ｅはその本体部分の大きさを前記所定の間隔とし、その突起部分を長柱３や半柱４の柱面に形成される溝と同じ大きさ形状とする。単位壁Ｅを構成する壁や障子窓は相互に配置変えが可能となる。【選択図】図１
2006063743.tif 000002
【特許請求の範囲】
【請求項１】
装飾壁本体及びその外周の一部又は全部に形成される装飾壁突起からなる装飾壁と、装飾窓本体及びその外周の一部又は全部に形成される装飾窓突起からなる装飾窓と、のうち少なくともいずれかを一若しくは複数又は少なくとも両者を一若しくは複数備えた一又は複数の単位壁と、
前記装飾壁突起及び／又は前記装飾窓突起と嵌合する下溝が形成され、前記単位壁をその下端側で支持する一又は複数の下端側支持手段と、
前記装飾壁突起及び／又は前記装飾窓突起と嵌合する側溝が形成され、前記単位壁をその側端側で支持する一又は複数の側端側支持手段と、
を備え、
前記側端側支持手段は、その一の側端側支持手段の側溝が形成された柱面と、前記単位壁を介して対向する他の側端側支持手段の側溝が形成された柱面との距離が所定の間隔となるように立設され、前記装飾壁本体及び前記装飾窓本体の横幅は、前記所定の間隔に収まる大きさであることを特徴とする組立居室。
【請求項２】
前記単位壁は、互いに入替自在であることを特徴とする請求項１に記載の組立居室。
【請求項３】
前記装飾壁及び／又は前記装飾窓は、互いに入替自在であることを特徴とする請求項１又は２に記載の組立居室。
【請求項４】
前記側端側支持手段は、前記組立居室の隅に配置される長柱と、前記下端側支持手段に立設される半柱とからなることを特徴とする請求項１から３のいずれかに記載の組立居室。
【請求項５】
前記装飾壁突起は、前記装飾壁本体の表面から連続して形成されていることを特徴とする請求項１から４のいずれかに記載の組立居室。
【請求項６】
前記装飾窓突起は、前記装飾窓の外周面上に着脱可能に形成されていることを特徴とする請求項１から５のいずれかに記載の組立居室。
【請求項７】
前記単位壁は、両面使用できることを特徴とする請求項１から６のいずれかに記載の組立居室。
【請求項８】
着脱自在な連結治具を用いて組み立てたことを特徴とする請求項１から７のいずれかに記載の組立居室。
【請求項９】
前記下端側支持手段によって囲まれる平面面積が、１平方メートルから７平方メートルの広さであることを特徴とする請求項１から８に記載の組立居室。
【発明の詳細な説明】
【技術分野】
【０００１】
本発明は、組立居室に関し、更に詳しくは、増改築をしなくても所望の目的に使用するための空間や、所望の雰囲気を得るための空間を確保可能な組立居室に関する。
【背景技術】
【０００２】
近年、我が国では、利便性や安全性に優れ、管理も充実しているマンションが増加している。しかしながら、マンションの場合には、一戸建てのように既存の建物につぎ足す形の増築はできない。従って、マンションの場合には、部屋数を増やしたり間取りを変更するときは、改築（リフォーム）という手段を講ずることになる。
【発明の開示】
【発明が解決しようとする課題】
【０００３】
しかしながら、マンションの改築は、壁を打ち抜いたり、新たな仕切壁を設けたり等の作業を要し、数日程度ではあるが日数も要する。また、スペースの問題から家具を動かしたりする必要も生じ、その結果、一家の生活に支障を来す。従って、改築だと作業が大がかりになり、所望の目的に使用するための空間や、所望の雰囲気を得るための空間を手軽に確保できないという問題があった。また、一度改築すると、部屋の壁や窓、扉の位置等のレイアウトは、変更できないという問題があった。
【０００４】
そのため、改築のような大がかりな作業をしなくても、短時間で手軽に、所望の目的に使用するための空間や、所望の雰囲気を得るための空間（例えば、茶室、応接室、コンピュータ用スペース、読書室、和風空間、洋風空間、中華風空間等）を確保する手法が模索されていた。
【０００５】
この種の従来の技術として、例えば、特許文献１〜２が周知である。特許文献１は、化学物質過敏症患者に対して有効な、揮発性有害化学物質を制限した閉空間を開示している。特許文献２は、パソコン等のＯＡ関連の作業において、外界を気にせず、作業に集中できる個室用の部屋として簡単に使用できるボックス状構造物を開示している。
【０００６】
【特許文献１】特開２０００−１５２９６４
【特許文献２】特開２００４−１５０２５５
【０００７】
しかしながら、特許文献１〜２に開示された閉空間や個室ボックスは、所望の目的に使用するための空間を確保できるが、壁面や窓を自由にレイアウトできるものではないという問題がある。また、和風空間、洋風空間といった雰囲気を演出できるものでもないという問題がある。また、天井が必須であるため、圧迫感が否めないという問題がある。
【０００８】
そのため、特許文献１〜２等の周知の技術によっても、短時間で手軽に、所望の目的に使用するための空間や、所望の雰囲気を得るための空間をレイアウトを変えながら確保することはできなかった。
【０００９】
本発明は、このような従来の問題点を解決するためになされたものであり、その第一の目的は、その壁や窓のレイアウトを自由に決めることができる組立居室を提供することである。本発明の第二の目的は、短時間で手軽に組み立てることができ、その分解、再組立も可能な組立居室を提供することである。
【課題を解決するための手段】
【００１０】
上記課題を解決するために本発明に係る組立居室は、装飾壁本体及びその外周の一部又は全部に形成される装飾壁突起からなる装飾壁と、装飾窓本体及びその外周の一部又は全部に形成される装飾窓突起からなる装飾窓と、のうち少なくともいずれかを一若しくは複数又は少なくとも両者を一若しくは複数備えた一又は複数の単位壁と、前記装飾壁突起及び／又は前記装飾窓突起と嵌合する下溝が形成され、前記単位壁をその下端側で支持する一又は複数の下端側支持手段と、前記装飾壁突起及び／又は前記装飾窓突起と嵌合する側溝が形成され、前記単位壁をその側端側で支持する一又は複数の側端側支持手段と、を備え、前記側端側支持手段は、その一の側端側支持手段の側溝が形成された柱面と、前記単位壁を介して対向する他の側端側支持手段の側溝が形成された柱面との距離が所定の間隔となるように立設され、前記装飾壁本体及び前記装飾窓本体の横幅は、前記所定の間隔に収まる大きさであることを特徴とする。
【００１１】
上記課題を解決するために本発明に係る組立居室によれば、装飾壁突起及び／又は装飾窓突起は、単位壁をその下端側で支持する一又は複数の下端側支持手段に形成された下溝に嵌合し、また、単位壁をその側端側で支持する一又は複数の側端側支持手段に形成された側溝に嵌合する。そして、側端側支持手段は、その一の側端側支持手段の側溝が形成された柱面と、前記単位壁を介して対向する他の側端側支持手段の側溝が形成された柱面との距離が所定の間隔となるように立設され、装飾壁本体及び装飾窓本体の横幅は、所定の間隔に収まる大きさであるため、装飾壁相互、装飾窓相互、前記装飾壁及び前記装飾窓相互、単位壁相互で側端側支持手段の間に自由に嵌め込みができ、その配置も自由にできる。
【００１２】
この場合に、前記単位壁は、互いに入替自在とすることができる。
【００１３】
この場合に、前記装飾壁及び／又は前記装飾窓は、互いに入替自在とすることができる。
【００１４】
この場合に、前記側端側支持手段は、前記組立居室の隅に配置される長柱と、前記下端側支持手段に立設される半柱とから構成することができる。
【００１５】
この場合に、前記装飾壁突起は、前記装飾壁本体の表面から連続して形成することができる。これにより、部品点数を減らすことができる。
【００１６】
この場合に、前記装飾窓突起は、前記装飾窓の外周面上に着脱可能に形成することができる。和室の障子窓枠では障子を開け閉めするために障子窓枠の上下に形成される障子溝の深さを上下では異なった深さ（上溝が深く、下溝が浅い）にする必要がある。装飾窓突起が外周上面又は外周下面のいずれかにのみ形成される場合には、装飾窓をひっくり返して使用することができないが、装飾窓突起が着脱可能であるため、装飾窓突起の位置を変更することで、レイアウト変更が可能となる。
【００１７】
この場合に、前記単位壁は、両面使用できるように構成することができる。両面のデザインを同じにすれば、同じ雰囲気を楽しむことができる。両面のデザインを変えれば、レイアウトのバリエーションを増加させることができる。
【００１８】
この場合に、本発明に係る組立居室は、着脱自在な連結治具を用いて組み立てることができる。そのため、分解、再組立が可能となる。
【００１９】
この場合に、前記下端側支持手段によって囲まれる平面面積が、１平方メートルから７平方メートルの広さとすることができる。これにより、マンションの居室内においても短時間で手軽に組み立てることができる。
【発明の効果】
【００２０】
本発明に係る組立居室によれば、側端側支持手段は、一の側端側支持手段の側溝が形成された柱面と、単位壁を介して対向する他の側端側支持手段の側溝が形成された柱面とが所定の間隔を開けて立設され、装飾壁本体及び装飾窓本体の横幅が所定の間隔に収まる大きさであるため、壁や窓のレイアウトを自由に決めることができるという効果がある。
【００２１】
本発明に係る組立居室は、下端側支持手段によって囲まれる平面面積が、１平方メートルから７平方メートルの広さとしたものであるから、短時間で手軽に組み立てることができるという効果がある。本発明に係る組立居室は、着脱自在な連結治具を用いて組み立てることができるため、分解及び再組立ができるという効果がある。
【発明を実施するための最良の形態】
【００２２】
以下、図面を参照して本発明を実施するための最良の形態について説明する。
図１は、本発明の一実施形態に係る組立居室の障子を開けた状態の外観斜視図であり、図２は、その障子を閉めた状態の外観斜視図である。
【００２３】
これらの図において、組立居室１は、マンション等の室内で茶室として使用できる和室である。そのため、組立居室１は、室内で組み立てられその室内に設置され、例えば、茶会や自ら茶を点てる等のために使用される。このように、組立居室１は、所望の目的のために使用したり、所望の雰囲気を得るための居室である。組立居室１の平面面積は、３．３平方メートル（通常の畳約二畳分）と通常の居室より小さいため、室内で組立や分解が可能である。
【００２４】
組立居室１は、下端側支持部材としての敷居２（敷居２ａ〜２ｄ）（図６参照）と、側端側支持部材としての長柱３（長柱３ａ〜３ｄ）及び半柱４（半柱４ａ〜４ｄ）と、装飾壁としての大壁５、地窓上用中壁６ａ、中窓上用小壁７ａ及び中窓上用小壁７ｂと、装飾窓としての地窓用枠６ｂ及び地窓用障子６ｃ、中窓用枠７ｃ及び中窓用障子７ｄとを備え、更に、長壁８と、小壁９と、障子１０と、鴨居１１（鴨居１１ａ〜１１ｄ）と、横長壁１２と、装飾竹１３と、梁１４と、装飾前板１５と、棹１６と、根太１７（図１３参照）と、根太固定用金具１８と、床用合板２０と、琉球畳２１と、床台２２と、床柱２３と、床の間板２４と、敷居下側補強合板２５と、補強用Ｌ型金具２６と、その他多数のビス、ダボ、ビスケット等からなる。
【００２５】
以下の説明において、単に側端側支持部材というときは、長柱３及び半柱４を総称したものをいう。単に単位壁Ｅというときは、敷居２、鴨居１１、長柱３又は半柱４によって囲まれる壁面全体をいう。単位壁Ｅａは、地窓上用中壁６ａ，地窓用枠６ｂ及び地窓用障子６ｃにより構成される単位壁であり、単位壁Ｅｂは、大壁５により構成される単位壁であり、単位壁Ｅｃは、中窓上用小壁７ａ，中窓下用中壁７ｂ，中窓用枠７ｃ及び中窓用障子７ｄによって構成される単位壁である。
【００２６】
図３は、敷居２の外観構成を示す。敷居２ａ〜２ｄは、単位壁Ｅを含む組立居室１をその下端側から支持する木製の支持部材である。敷居２ａ〜２ｄの両端面には略直方体形状のホゾＨＴ，ＨＴ…が形成されており、長柱３の下端面寄り部位に形成されるホゾ孔ＨＡ，ＨＡ…（図４参照）に嵌合する。
【００２７】
敷居２は、中心材２ｅと、嵌合下溝ＢＭ・障子溝ＤＭ・ホゾ孔ＨＡが形成される敷居板２ｆと、居室内側に面した敷居下側補強合板２５と、居室外側に面した敷居下側外装板２ｇとからなる。敷居下側補強合板２５には、支持片２５ａが形成され、床用合板２０が載置される。敷居下側補強合板２５以外は予め組み立てられる。敷居下側補強合板２５は、根太１７等を取り付ける際に取り付けられる。
【００２８】
敷居２ａ，２ｂは、上側端面に溝間隔がＨ１である、溝幅Ｗ１，溝深さＤ１の二本の嵌合下溝ＢＭが形成され、単位壁Ｅを構成する装飾壁や装飾窓の周囲に形成される嵌合突起Ｔ（図７〜図１０参照）が嵌め合わされる。これにより、敷居２ａ，２ｂは、単位壁Ｅを単位壁Ｅの下端側で支持する。
【００２９】
このうち、敷居２ａは、床の間側（以下、床の間側を正面とする。）に配置され、上側端面の中央付近であって二本の嵌合下溝ＢＭの間に略直方体形状のホゾ孔ＨＡが形成される。ホゾ孔ＨＡに半柱４ｃの一端面に形成される略直方体形状のホゾＨＴが嵌合する（図６参照）。
敷居２ｂは、正面向かって左側に配置され、二本の嵌合下溝ＢＭの間であって、敷居２ｂの中央付近及び床の間板２４の縁付近に、略直方体形状のホゾ孔ＨＡ，ＨＡが形成される。ホゾ孔ＨＡ，ＨＡに半柱４ｂ，４ａの両端面に形成される略直方体形状のホゾＨＴ，ＨＴが嵌合する（図６参照）。
【００３０】
敷居２ｃ，２ｄは、小壁９や障子１０が配置され、上側端面に溝幅Ｗ２，溝深さＤ２の二本の障子溝ＤＭが形成される。この障子溝ＤＭに障子１０が嵌まる。敷居２ｄは、床の間板２４の正面向かって右側に嵌合下溝ＢＭが形成され、長壁８の下端部に形成される嵌合突起が嵌合する。また、敷居２ｄは、障子溝ＤＭと嵌合下溝ＢＭとの間にホゾ孔ＨＡが形成され、半柱４ｄの端面に形成されるホゾＨＴが嵌合する。
【００３１】
図４は、組立居室１の四隅に立設される長柱３の外観構成を示し、図５は、敷居２の上端面に立設される半柱４の外観構成を示す。これらの図において、長柱３及び半柱４は、単位壁Ｅを単位壁Ｅの側端から支持する木製の側端側支持部材である。長柱３は組立居室の四隅に敷居２を継合する態様で立設され、半柱４は敷居２に立設される。
【００３２】
長柱３や半柱４には、その柱面に溝間隔がＨ１である、溝幅Ｗ１，溝深さＤ１の二本の嵌合側溝ＳＭが形成され、そこに嵌合突起Ｔが嵌合する。また、長柱３の長手方向上端面寄り部位には、横長壁１２、装飾竹１３、梁１４を取り付けるためのガイド溝ＧＭが形成される。
【００３３】
図４に示す長柱３ａは、床の間側の単位壁Ｅａの端部に配置され、長柱３ｂは、単位壁ＥｂとＥｃとの間に配置され、何れも隣接する二つの柱面長手方向に溝間隔がＨ１である、溝幅Ｗ１，溝深さＤ１の二本の嵌合側溝ＳＭ，ＳＭ…が形成される。嵌合側溝ＳＭに嵌合突起Ｔが嵌合する。また、長柱３ａ，３ｂは、嵌合側溝ＳＭが形成された柱面の下端部寄り部位に略直方体形状のホゾ孔ＨＡ，ＨＡ…が形成され、このホゾ孔ＨＡ，ＨＡ…に敷居２ａ，２ｂ，２ｄのホゾＨＴ，ＨＴ…が嵌合する。
【００３４】
長柱３ｃは、壁側の単位壁Ｅｂの端部に配置され、一つの柱面長手方向に溝間隔がＨ１である、溝幅Ｗ１，溝深さＤ１の二本の嵌合側溝ＳＭ，ＳＭが形成される。この嵌合側溝ＳＭに嵌合突起Ｔが嵌合する。また、長柱３ｃの下端部寄り部位に略直方体形状のホゾ孔ＨＡ，ＨＡが形成され、このホゾ孔に敷居２ｂ，２ｃのホゾＨＴ，ＨＴが嵌合する。支持片Ｉは、小壁９を取り付けるときのガイド兼支持片である。長柱３ｄは、その柱面が障子１０を閉めたときに、障子１０の側端面が突き当たるところに配置される。長柱３ｄは、障子１０が突き当たる柱面の下端部寄り部位に略直方体形状のホゾ孔ＨＡ，ＨＡが形成され、このホゾ孔ＨＡ，ＨＡに敷居２ｃ，２ｄのホゾＨＴ，ＨＴが嵌合する。以上の構成により長柱３ａ〜３ｄは、単位壁Ｅを単位壁Ｅの側端側で支持する。
【００３５】
図５に示す半柱４ａ〜４ｃは、床の間の壁側及び居室の壁側に立設されるものであり（図１、図２、図６参照）、対向する柱面それぞれの長手方向に溝間隔がＨ１である、溝幅Ｗ１，溝深さＤ１の二本の嵌合側溝ＳＭ，ＳＭ…が形成される。嵌合側溝ＳＭには嵌合突起Ｔが嵌合する。半柱４ｄは、障子１０が取り付けられる敷居２ｄに取り付けられるため、溝間隔がＨ１である、溝幅Ｗ１，溝深さＤ１の二本の嵌合側溝ＳＭは、一の柱面にのみ形成される。嵌合側溝ＳＭには長壁８に形成される嵌合突起が嵌合する。これらの構成により半柱４は、単位壁Ｅを単位壁Ｅの側端側で支持する。
【００３６】
また、半柱４ａ〜４ｄは、上下端面に略直方体形状のホゾＨＴ，ＨＴ…が形成され、このホゾＨＴ，ＨＴ…が敷居２ａ，２ｂ，２ｄに形成されるホゾ孔ＨＡ，ＨＡ…と、鴨居１１ａ，１１ｂ，１１ｄに形成されるホゾ孔ＨＡ，ＨＡ…とに嵌合する。また、半柱４ａ，４ｄの嵌合側溝ＳＭが形成された柱面であってその上端寄り部位にはホゾ孔ＨＡ，ＨＡが形成され、ホゾ孔ＨＡ，ＨＡにそれぞれ鴨居１１ｂ，１１ｄのホゾＨＴ，ＨＴが嵌合する。半柱４ａ，４ｄの支持片Ｉ，Ｉは、装飾前板１５を取り付けるためのガイド兼支持片であり、ガイドＧ，Ｇは、装飾竹１３を取り付けるためのガイド突片である。
【００３７】
図６は、上述した敷居２、長柱３及び半柱４を組み立てたときの状態を示す。同図に示したように、敷居２ａ〜２ｄは、柱状体を横たえた態様で上面視で四角状に配置され、四隅は長柱３ａ〜３ｄによって継合される。敷居２は、敷居２の両端面に形成されるホゾＨＴ，ＨＴ…が、長柱３の下端面寄り部位に形成されるホゾ孔ＨＡ，ＨＡ…に嵌合することによって継合される。
【００３８】
長柱３ａの柱面と半柱４ｃの柱面との間隔，半柱４ｃの柱面と長柱３ｂの柱面との間隔，半柱４ａの柱面と半柱ｂの柱面との間隔，半柱ｂの柱面と長柱３ｃの柱面との間隔は等しく、いずれも横幅Ｌ１である。従って、横幅がＬ１に等しく、嵌合側溝ＳＭに嵌る嵌合突起Ｔを備えた壁であれば、壁の配置位置を自由に決めることができる。すなわち、単位壁Ｅａ〜Ｅｃは、自由に配置を決めることができる。
【００３９】
図７〜図９は、単位壁Ｅを構成する装飾壁、すなわち、図７が大壁５、図８が地窓上用中壁６ａ、図９が中窓上用小壁７ａ及び中窓下用中壁７ｂの外観構成を示す。これらの図に示す装飾壁は、横長さＬ１の本体ＣＨとその外周全体に形成される突起間隔がＨ１である、二本の突起幅Ｗ１，突起高さＤ１の壁突起ＣＴ（嵌合突起Ｔ）とから構成される。突起幅Ｗ１は溝幅Ｗ１と等しく（厳密には嵌合できる程度の大きさの違いはある。その程度の違いを含めて「等しい」としている。）、突起高さＤ１は溝深さＤ１と等しい（厳密には嵌合できる程度の大きさの違いはある。その程度の違いを含めて「等しい」としている。）。突起間隔Ｈ１は、溝間隔Ｈ１と等しい（厳密には嵌合できる程度の大きさの違いはある。その程度の違いを含めて「等しい」としている。）。また、横長さＬ１は上述した柱の間隔である横幅Ｌ１と等しい（厳密には嵌合できる程度の大きさの違いはある。その程度の違いを含めて「等しい」としている。）。
【００４０】
装飾壁は、二枚の板を連結部材を介して連結させ、両面にクロスを貼ったものである。壁突起ＣＴは、二枚の板の周縁部全体に渡って形成されており、二枚の板の表面から連続して形成される。壁突起ＣＴの先端に至るまでクロス貼りがなされている。
【００４１】
図１０は、単位壁Ｅを構成する装飾窓、すなわち、地窓用枠６ｂ及び地窓用障子６ｃ、中窓用枠７ｃ及び中窓用障子７ｄの外観構成を示す。これらの図に示す装飾窓は、横長さＬ１の本体ＦＨとその外周の一部に形成される突起間隔がＨ１である、二本の突起幅Ｗ１，突起高さＤ１の枠突起ＦＴ（嵌合突起Ｔ）が形成された窓用枠６ｂ，７ｃと、窓用障子６ｃ，７ｄとから構成される。枠突起ＦＴは、長方形状の扁平なジョイントパーツＪを窓用枠６ｂ，７ｃの上下端面に形成された嵌合枠溝ＦＭ，ＦＭ…に差し込むことによって形成される。嵌合枠溝ＦＭは、溝幅Ｗ１，溝深さＤ１，溝間隔がＨ１である。
【００４２】
図１１は、鴨居１１の外観構成を示す。鴨居１１は、鴨居１１ａ〜１１ｄを総称したものである。鴨居１１ａは、床の間の単位壁Ｅの上に設けられるものであり、上下端面に、それぞれ、壁突起ＣＴ及び横長壁１２の突起に嵌合する鴨居溝ＫＭ，ＫＭ…が形成される。鴨居１１ｂは、装飾竹１３が取り付けられる居室内壁の単位壁Ｅの上に設けられるものであり、下端面に壁突起ＣＴに嵌合する鴨居溝ＫＭが形成される。鴨居溝ＫＭは、溝幅Ｗ１，溝深さＤ１，溝間隔がＨ１である。
【００４３】
鴨居１１ａ，１１ｂの下端面中央部付近にはホゾ孔ＨＡ，ＨＡが形成され、半柱４ｃ，４ｂのホゾＨが嵌合する。鴨居１１ｃ、１１ｄは、障子１０の上に取り付けられ、下端面に障子溝ＤＭ，ＤＭ…が形成される。鴨居１１ａ〜１１ｄの両端面にはホゾＨＴ，ＨＴ…が形成される。鴨居１１ａのホゾＨＴ，ＨＴは、長柱３ａ，３ｂに形成されるガイド溝ＧＭ，ＧＭに挿通し、鴨居１１ｂのホゾＨＴ，ＨＴは、一方が半柱４ａの上端面寄り部位に形成されるホゾ孔ＨＡに嵌合し，他方が長柱３ｃに形成されるガイド溝ＧＭに挿通される。鴨居１１ｃのホゾＨＴ，ＨＴは、長柱３ｃ，３ｄに形成されるガイド溝ＧＭ，ＧＭに挿通される。鴨居１１ｄのホゾＨＴ，ＨＴは、一方が長柱３ｄに形成されるガイド溝ＧＭに挿通され、他方が半柱４ｄの上端面寄り部位に形成されるホゾ孔ＨＡに嵌合する。
【００４４】
図１２は、単位壁Ｅの組立構成を側端面視によって示す。同図（ａ）が単位壁Ｅａ、同図（ｂ）が単位壁Ｅｂ、同図（ｃ）が単位壁Ｅｃを示す。
同図（ａ）の単位壁Ｅａは、敷居２ａの嵌合下溝ＢＭに地窓用枠６ｂの枠突起ＦＴ（ジョイントパーツＪにより形成される。）が嵌合し、地窓用枠６ｂの上端面の嵌合枠溝ＦＭに地窓上用中壁６ａの壁突起ＣＴが嵌合し、地窓上用中壁６ａの上端面の壁突起ＣＴが鴨居１１ａの鴨居溝ＫＭに嵌合することによって上下方向が固定される。
【００４５】
同図（ｂ）の単位壁Ｅｂは、大壁５の全周囲に渡って形成された壁突起ＣＴが敷居２ａ（又は２ｂ）の嵌合下溝ＢＭ及び鴨居１１ａ（又は１１ｂ）の鴨居溝ＫＭに嵌合することによって上下方向が固定される。
【００４６】
同図（ｃ）の単位壁Ｅｃは、敷居２ｂの嵌合下溝ＢＭに中窓下用中壁７ｂの壁突起ＣＴが嵌合し、その上端面の壁突起ＣＴがその上に配置される中窓用枠７ｃの下端面の嵌合枠溝ＦＭに嵌合し、中窓用枠７ｃの上端面の嵌合枠溝ＦＭに中窓上用小壁７ａの壁突起ＣＴが嵌合し、中窓上用小壁７ａの上端面の壁突起ＣＴが鴨居１１ｂの鴨居溝ＫＭに嵌合することによって上下方向が固定される。
【００４７】
単位壁Ｅａ〜Ｅｃの側端面の嵌合突起Ｔ（壁突起ＣＴ）（図７〜図９参照）は、長柱３や半柱４の嵌合側溝ＳＭに嵌合する。地窓用障子６ｃ，７ｄは、その上端を窓用枠６ｂ，７ｃの深めの上溝に押し込んで、その下端をそのまま浅めの下溝に落として取り付けられる。
【００４８】
単位壁Ｅａの地窓用枠６ｂと地窓上用中壁６ａの配置を上下逆にする場合には、次のようにする。地窓上用中壁６ａの下側の壁突起ＣＴを敷居２ａの嵌合下溝ＢＭに嵌合させるとともに、横側の壁突起ＣＴを長柱３ａの嵌合側溝ＳＭに嵌合させる。そして、地窓上用中壁６ａの上端面の壁突起ＣＴに地窓用枠６ｂの嵌合枠溝ＦＭを嵌合させ、その上端面の嵌合枠溝ＦＭにジョイントパーツＪを取り付け、これを枠突起ＦＴとして、鴨居１１ａの鴨居溝ＫＭに嵌合させる。単位壁Ｅｃについても同様に上下の配置を変更することができる。溝ＫＭ，ＦＭ，ＢＭが互いに対向するときは適宜ジョイントパーツＪを用いることができる。
【００４９】
以上説明したことから明らかであるが、単位壁Ｅａ〜Ｅｃは、互いに本体部分（本体ＣＨ，ＦＨ）の横長さＬ１どうし、嵌合突起Ｔの突起高さＤ１どうし、嵌合突起Ｔの突起幅Ｗ１どうし、突起間隔Ｈ１どうしがそれぞれ等しい。また、嵌合突起Ｔが嵌合する敷居２に形成される嵌合下溝ＢＭや長柱３や半柱４に形成される嵌合側溝ＳＭは、互いに、溝幅Ｄ１どうし、溝深さＷ１どうし、溝間隔Ｈ１どうしがそれぞれ等しく、嵌合突起Ｔを丁度外嵌する大きさである。従って、単位壁Ｅａ〜Ｅｃは相互に配置を自由に変更することができる。
尚、実際に嵌合関係にある嵌合突起Ｔと、溝ＢＭ，ＳＭ，ＫＭとでは、嵌合したときの重なり合う部分どうしで同じ長さ・大きさとしているが嵌合される側と嵌合する側とで設計上厳密には若干の大きさの違いはある。本明細書ではそういうものを含めて「等しい」としている。
【００５０】
また、上下端面に形成される嵌合突起Ｔや嵌合下溝ＢＭ，嵌合側溝ＳＭ，鴨居溝ＫＭも同じ位置関係、同じ大きさ、形状であるため、装飾壁Ｄ、装飾窓Ｅそれぞれの配置を自由に変更することができる。
【００５１】
以下に、他の部材について説明する。まず、長壁８は、床の間の両側に立設される（図１参照）。すなわち、長柱３ａと半柱４ｄとの間、及び、長柱３ｂと半柱４ａとの間に立設される。長壁８は、側端面に形成される長壁突起（嵌合突起Ｔと同一形状である。）が嵌合側溝ＳＭ及び嵌合下溝ＢＭに嵌合することによって支持される。
【００５２】
小壁９は、障子１０が取り付けられる敷居２ｄ、敷居２ｃに取り付けられ、障子１０を開けたときのその障子１０を部分的に外から隠す。小壁９の側端面に長手方向、等間隔に形成された直径６ｍｍ前後のダボ孔にダボ（ダボ孔及びダボについては図示省略する。）が差し込まれ、このダボが半柱４の側端面に長手方向、等間隔に形成されたダボ孔に差し込まれることによって小壁９は半柱４に連結される。また、小壁９の下端面に長手方向、等間隔に形成されたダボ孔にダボが差し込まれ、このダボが敷居２の上面に形成されたダボ孔に差し込まれることによって小壁９は敷居２に連結される。
【００５３】
障子１０は、組立居室の組み立て工程でいうと最後に取り付けられ、小壁９に対して室内側に二枚ずつ開閉可能にそれぞれの障子溝ＤＭに取り付けられる。障子１０は、その上縁を鴨居１１の下面に深めに形成された障子溝ＤＭに押し込んで、そのままその下縁を敷居２の上に落とすと敷居２の障子溝ＤＭに位置する。
【００５４】
鴨居１１ａ〜１１ｄは、上述したように長柱３や半柱４の間に取り付けられる。壁用鴨居１１ａは、床の間の上に取り付けられ、その上に横長壁１２が配置される。竹用鴨居１１ｂ〜１１ｄは、その他の壁面の上に取り付けられ、その上に装飾竹１３が配置される。
【００５５】
鴨居１１ａ〜鴨居１１ｄの両端面にはホゾＨＴ，ＨＴ…が形成される。ホゾＨＴ，ＨＴ…は、ガイド溝ＧＭ（長柱３の嵌合側溝ＳＭの間であって上端面寄り部位に長手方向に形成されるやや深めの溝である。）や半柱４ａ，４ｄのホゾ孔ＨＡに嵌め込まれる。鴨居１１の下側面に形成された鴨居溝ＫＭは、単位壁Ｅによって構成される単位壁Ｅの嵌合突起Ｔを外嵌する。
【００５６】
横長壁１２は、その両側端部が長柱３ａ，３ｂのガイド溝ＧＭ，ＧＭに差し込まれることにより取り付けられる。装飾竹１３は、二本の平行な竹の両端面を板部材によって架け渡し、板部材の両端面に連結突片を設けたタイプ（長柱３ｃ，３ｄの間にガイド溝ＧＭ，ＧＭに差し込んで取り付けられる。）と、板部材の一方の端面に連結突片を設け、他方の端面に連結凹片を設けたタイプ（長柱３ｃと半柱４ａとの間及び長柱３ｄと半柱４ｄとの間に取り付けられる。一方を各ガイド溝ＧＭ，ＧＭに差し込み、他方を各ガイドＧ，Ｇに外嵌して取り付けられる。）の二種類がある。
【００５７】
梁１４は、横長壁１２や装飾竹１３の上に取り付けられる。梁１４の両端面に形成されたホゾＨＴ，ＨＴ…がガイド溝ＧＭ，ＧＭ…に差し込まれることにより取り付けられる。梁１４を取り付けると、梁１４の上端面と長柱３の上端面とは同一面を形成することになる。
【００５８】
装飾前板１５は、半柱４ａと、半柱４ｄとの間（ガイド片Ｉ，Ｉに差し込まれる。）に架け渡される。装飾前板１５は、装飾板であり、裏表両面には異なったデザインが施される。
【００５９】
棹１６は、装飾前板１５の上に半柱４ａと、半柱４ｄとを架け渡して配置される。棹１６の両端部の切欠が梁１４に形成される切欠に係合する。
【００６０】
図１３は、床用合板２０を敷くときの状態を骨格部分とともに上から見たものである。補強用Ｌ型金具２６は、角部が直角をしたＬ字状の金属治具であり、敷居２ａ〜２ｄと長柱３ａ〜３ｄの継合部に直角部分を合わせて取り付けられる。根太１７は、補強用Ｌ型金具２６が取り付けられた後に取り付けられる。根太１７の位置決めを行うために、根太固定用金具１８が敷居２の敷居下側補強合板２５に取り付けられる。根太固定用金具１８は、溝型コ字状であり、開口部が居室内側及び鉛直側を向く態様で、床の間部分を除いた居室を縦三等分、横三等分する位置にその縁部分が敷居下側補強合板２５及び床の間側の根太１７に取り付けられる。
【００６１】
根太１７は、敷居２と同様に、組立居室１の全体を支える土台となるものであり、床用合板２０や琉球畳２１に隠れて見えない。根太１７は、五本の断面四角形状の柱状部材からなり、切り欠きを形成して井桁状に組まれる。井桁状の根太１７の各端部を敷居２及び床の間側の根太１７に取り付けた根太固定用金具１８に嵌める。根太用水平アジャスターが井桁状に組んだ根太１７の下に配置され、水平調整に用いられる。
【００６２】
床用合板２０は、６０ｃｍ角の正方形状をしており、井桁状に組まれた根太１７の上に九枚敷き詰められる。琉球畳２１（図１参照）は、６０ｃｍ角の正方形状であり、床用合板２０の上に敷き詰められる。床台２２は、床の間に置物を置けるようにするための装飾部材である。床台２２は、直方体形状の装飾部材であり、どの面にも装飾が施されており、ひっくり返したり、前後を逆さにしたりしても使用が可能である。
【００６３】
床柱２３は、床の間板２４（敷居２ａにビスケットを介して取り付けられる。）と棹１６とを架け渡すように取り付けられる。床の間板２４の中央部付近及び床柱２３の下端面にはダボ孔が形成されており、床の間板２４と床柱２３とはダボによって連結される。床柱２３の上端部には切り欠きが形成されており、この切欠に装飾前板１５から突き出た位置にある棹１６が係合され、ビス止めされる。
【００６４】
以上説明した種々の構成要素は、多数のビス、ダボ、ビスケット、ボルトやナット等の連結部材を用いて連結され、組立居室１が組み立てられる。これらの連結部材は何れも脱着可能である。敷居２、長柱３、半柱４、装飾壁、装飾窓等は突部と凹部とを嵌合させることによって組み立てられているため、組み立てた後も分解や再組立が可能である。再組立の際には、単位壁Ｅ、装飾壁、装飾窓を入れ替えたり、その表裏を変えたりして部屋のイメージを変えることが簡単にできる。更に、ワンタッチで連結できる金具等を用いて連結させることもできる。
【００６５】
以上本発明の最良の形態について説明したが、本発明はこの形態に何ら限定されるものではない。
［変形例］
上記実施形態では、地窓用枠６ｂの上下端面に嵌合枠溝ＦＭを形成しジョイントパーツＪを活用した例を説明したがこれに限定されるものではない。
例えば、下端側は初めから着脱不能な状態で枠突起ＦＴを形成し、上端面にのみ嵌合枠溝ＦＭを形成してもよい。この場合には、枠内側上下面に形成する障子溝ＤＭの深さを上下共に深くしておき、下側に来る障子溝ＤＭに溝深さ調節板を取り付ける。そして、地窓を定位置に取り付けるときは、枠突起ＦＴがある方を下にして、嵌合下溝ＢＭに嵌合させ、上側の嵌合枠溝ＦＭに地窓用枠６ｂを取り付ける。一方、地窓上用中壁６ａと地窓用枠６ｂとの配置を逆にするときは、地窓用枠６ｂを上下ひっくり返して、下側に来る障子溝ＤＭに溝深さ調節板を取り付けておく。そして、嵌合下溝ＢＭに地窓上用中壁６ａの窓突起ＣＴを嵌合させ、上端面の窓突起ＣＴに地窓用枠６ｂの嵌合枠溝ＦＭを外嵌する。
地窓用枠６ｂの内側表面に形成する障子溝ＤＭは、障子の形状等に併せてレール状のものとしてもよい。
【００６６】
上記実施形態においては、装飾壁本体及び／又は装飾窓本体の横長さは全て同一であり、装飾壁突起及び／又は装飾窓突起の形状大きさは全て同一としているが、これに限定されるものではない。例えば、嵌合突起Ｔが突起長さＤ１より大きくても装飾壁本体及び／又は装飾窓本体の横長さがそれに合わせて小さければ、長柱３や半柱４の間に取り付けることができる。すなわち、装飾壁本体及び／又は装飾窓本体の横幅と、装飾窓突起及び／又は装飾窓突起の長さとを合わせた長さが、本体と溝を合わせた長さに丁度合致していなくても、本発明の範囲に含まれる。
【００６７】
上記実施形態においては、枠突起ＦＴは側端面には形成されていないが、側端面に形成して側端側支持部材の嵌合側溝ＳＭに嵌合させてもよい。また、上記実施形態では、室内での使用を前提として説明したが、屋外で使用することもできる。また、上記実施形態では、天井板を付けない例を示したが、天井板を付けることもできる。また、上記実施形態では、組立居室は木製であるが、木製の他にも、高分子樹脂、金属製、コンクリート製、タイル壁、布製でもよく、更には、これらの材料を組み合わせても良い。
【産業上の利用可能性】
【００６８】
本発明に係る組立居室は、家庭内のみならず病院、学校、福祉施設等の各種団体や施設、屋外での各種行事でも使用することができる。
【図面の簡単な説明】
【００６９】
【図１】本発明の一実施形態に係る組立居室１の障子１０を開けた状態の外観斜視図である。
【図２】本発明の一実施形態に係る組立居室１の障子１０を閉めた状態の展開図である。
【図３】敷居２の外観構成を上面図及び側面図により示した図である。
【図４】長柱３の外観構成を正面図（側面図）及び上面図により示した図である。
【図５】半柱４の外観構成を正面図（側面図）及び上面図により示した図である。
【図６】敷居２、長柱３及び半柱４の組立構造を示した上面図である。
【図７】装飾壁（大壁５）の外観構成を正面図、上面図及び側面図により示した図である。
【図８】装飾壁（地窓上用中壁６ａ）の外観構成を正面図、上面図及び側面図により示した図である。
【図９】装飾壁（中窓上用小壁７ａ，中窓下用中壁７ｂ）の外観構成を正面図、上面図及び側面図により示した図である。
【図１０】装飾窓（地窓用枠６ｂ及び地窓用障子６ｃ、中窓用枠７ｃ及び中窓用障子７ｄ）の外観構成を正面図、上面図及び側面図により示した図である。
【図１１】鴨居１１の外嵌構成を端面図（側面図）と下面図により示した図である。
【図１２】単位壁Ｅの鉛直方向の組立構造を示した側面図である。
【図１３】根太１７及び床用合板２０の取付構造を説明するための上面図である。
【符号の説明】
【００７０】
１  組立居室
２  敷居（下端側支持手段）
３  長柱（側端側支持手段）
４  半柱（側端側支持手段）
５  大壁（装飾壁、単位壁）
６ａ  地窓上用中壁（装飾壁、単位壁）
６ｂ  地窓用枠（装飾窓、単位壁）
６ｃ  地窓用障子（装飾窓、単位壁）
７ａ  中窓上用小壁（装飾壁、単位壁）
７ｂ  中窓下用中壁（装飾壁、単位壁）
７ｃ  中窓用枠（装飾窓、単位壁）
７ｄ  中窓用障子（装飾窓、単位壁）
８…長壁、９…小壁、１０…障子、１１…鴨居、１２…横長壁、１３…装飾竹、１４…梁、１５…装飾前板、１６…棹、１７…根太、１８…根太固定用金具、２０…床用合板、２１…琉球畳、２２…床台、２３…床柱、２４…床の間板、２５…鴨居下側補強合板（下端側支持手段）、２６…補強用Ｌ型金具
【図１】
2006063743.tif 000003
【図２】
2006063743.tif 000004
【図３】
2006063743.tif 000005
【図４】
2006063743.tif 000006
【図５】
2006063743.tif 000007
【図６】
2006063743.tif 000008
【図７】
2006063743.tif 000009
【図８】
2006063743.tif 000010
【図９】
2006063743.tif 000011
【図１０】
2006063743.tif 000012
【図１１】
2006063743.tif 000013
【図１２】
2006063743.tif 000014
【図１３】
2006063743.tif 000015